(57)【要約】      （修正有）【課題】１枚の用紙の１つの面に複数ページ分のコンテンツが印刷された書類の一部にページ番号が付されていない場合であっても、その書類をスキャンして得られた各ページの画像のページ順を認識することができるようにする。【解決手段】画像形成装置１に、書類をスキャンすることによって原稿面画像ＧＤを取得する原稿面画像取得制御部１０２と、ページの配置の形態を、ユーザに選択させるための選択手段と、その選択結果に基づいて、その書類の１ページごとの画像であるページ画像ＧＰを抽出する、ページ画像抽出部１０５と、抽出されたページ画像ＧＰがその書類の何ページ目の画像であるかを、そのページ画像ＧＰが描かれていた用紙がスキャンされた順番、そのページ画像ＧＰが用紙に描かれていた位置、およびその書類のページの配置の形態に基づいて判別する、対応ページ判別部１０６と、を設ける。【選択図】図４
2007013799.tif 000002
【特許請求の範囲】
【請求項１】
書類の用紙をスキャンすることによって当該書類の用紙に描かれているコンテンツの画像の画像データを入力する書類画像データ入力システムであって、
１枚または複数枚の用紙によって構成されかつ各用紙の１つの原稿面に複数のページのコンテンツが描かれている書類である集約印刷書類の原稿面をスキャンすることによって当該原稿面の画像である原稿面画像を取得する原稿面画像取得手段と、
前記集約印刷書類の、用紙におけるページの配置の形態を、ユーザに選択させるためのページ配置形態選択手段と、
前記原稿面画像取得手段によって取得された前記集約印刷書類の各原稿面の前記原稿面画像から、ユーザによって選択された当該集約印刷書類の前記形態に基づいて、当該集約印刷書類の１ページごとの画像であるページ画像を抽出する、ページ画像抽出手段と、
前記ページ画像抽出手段によって抽出された前記集約印刷書類の前記ページ画像が当該集約印刷書類の何ページ目の画像であるかを、当該ページ画像が描かれていた用紙が前記原稿面画像取得手段によってスキャンされた順番、当該ページ画像が用紙に描かれていた位置、およびユーザによって選択された当該集約印刷書類の前記形態に基づいて判別する、ページ順判別手段と、
を有することを特徴とする書類画像データ入力システム。
【請求項２】
前記ページ画像抽出手段によって抽出された前記集約印刷書類の前記各ページ画像、前記ページ順判別手段による判別結果に基づいてページ順にバインドすることによって１つの画像ファイルを生成する画像ファイル生成手段と、
を有する請求項１記載の書類画像データ入力システム。
【請求項３】
前記原稿面画像取得手段によって取得された前記原稿面画像に対してパンチ穴の痕またはステープル綴じの痕の画像を削除する補正を施す画像補正手段、を有し、
前記ページ画像抽出手段は、前記原稿面画像に前記画像補正手段によって前記補正が施された場合は、当該補正が施された原稿面画像から前記ページ画像を抽出する、
請求項１または請求項２記載の書類画像データ入力システム。
【請求項４】
書類の用紙をスキャンすることによって当該書類の用紙に描かれているコンテンツの画像の画像データを入力する書類画像データ入力システムであって、
１枚または複数枚の用紙によって構成されかつ各用紙の１つの原稿面に複数のページのコンテンツが描かれている書類である集約印刷書類の原稿面の画像である原稿面画像を、当該集約印刷書類の用紙をスキャンすることによって取得する、原稿面画像取得手段と、
前記原稿面画像取得手段によって取得された前記集約印刷書類の前記原稿面画像の特徴に基づいて、当該集約印刷書類の、用紙におけるページの配置の形態を判別する、ページ配置形態判別手段と、
前記原稿面画像取得手段によって取得された前記集約印刷書類の各原稿面の前記原稿面画像から、前記ページ配置形態判別手段によって判別された当該集約印刷書類の前記形態に基づいて、当該集約印刷書類の１ページごとの画像であるページ画像を抽出する、ページ画像抽出手段と、
前記ページ画像抽出手段によって抽出された前記集約印刷書類の前記ページ画像が当該集約印刷書類の何ページ目の画像であるかを、当該ページ画像が描かれていた用紙が前記原稿面画像取得手段によってスキャンされた順番、当該ページ画像が用紙に描かれていた位置、および前記ページ配置形態判別手段によって判別された当該集約印刷書類の前記形態に基づいて判別する、ページ順判別手段と、
を有することを特徴とする書類画像データ入力システム。
【請求項５】
前記原稿面画像取得手段は、若いページが描かれている用紙または表紙側のページが描かれている用紙から順にかつその表面および裏面の順にスキャンすることによって前記各原稿面画像を取得し、
前記ページ配置形態判別手段は、前記集約印刷書類の前記形態を、
前記原稿面画像取得手段によって奇数番目に取得された前記原稿面画像の中の余白部分が「田」の字型に表れ、かつ、前記原稿面画像取得手段によって偶数番目に取得された前記原稿面画像がほとんど真っ白である場合は、片面４ｉｎ１である、と判別し、
前記原稿面画像の中の余白部分が「田」の字型に表れ、かつ、前記原稿面画像取得手段によって偶数番目に取得された前記原稿面画像にコンテンツが表れている場合は、両面４ｉｎ１である、と判別し、
前記原稿面画像取得手段によって奇数番目に取得された前記原稿面画像の中の余白部分が「ロ」の字を２つくっ付けた形に表れ、前記原稿面画像取得手段によって奇数番目に取得された前記原稿面画像の中に表される２つのページのページ番号を示す数字が連番であり、かつ、前記原稿面画像取得手段によって偶数番目に取得された前記原稿面画像がほとんど真っ白である場合は、片面２ｉｎ１である、と判別し、
前記原稿面画像の中の余白部分が「ロ」の字を２つくっ付けた形に表れ、前記原稿面画像の中に表される２つのページのページ番号を示す数字が連番であり、かつ、前記原稿面画像取得手段によって偶数番目に取得された前記原稿面画像にコンテンツが表れている場合は、両面２ｉｎ１である、と判別し、
前記原稿面画像の中の余白部分が「ロ」の字を２つくっ付けた形に表れ、前記原稿面画像取得手段によって奇数番目に取得された前記原稿面画像の中に表される左右に隣り合う２つのページのページ番号を示す数字のうち左側のページの数字のほうが右側のページの数字よりも大きく、かつ、前記原稿面画像取得手段によって偶数番目に取得された前記原稿面画像の中に表される左右に隣り合う２つのページのページ番号を示す数字のうち左側のページの数字のほうが右側のページの数字よりも小さい場合は、左綴じブックレットである、と判別し、
前記原稿面画像の中の余白部分が「ロ」の字を２つくっ付けた形に表れ、前記原稿面画像取得手段によって奇数番目に取得された前記原稿面画像の中に表される左右に隣り合う２つのページのページ番号を示す数字のうち左側のページの数字のほうが右側のページの数字よりも小さく、かつ、前記原稿面画像取得手段によって偶数番目に取得された前記原稿面画像の中に表される左右に隣り合う２つのページのページ番号を示す数字のうち左側のページの数字のほうが右側のページの数字よりも大きい場合は、右綴じブックレットである、と判別する、
請求項５記載の書類画像データ入力システム。
【請求項６】
１枚または複数枚の用紙によって構成されかつ各用紙の１つの原稿面に複数のページのコンテンツが描かれている書類である集約印刷書類の原稿面をスキャンすることによって、当該原稿面の画像である原稿面画像を入力し、
前記集約印刷書類の、用紙におけるページの配置の形態を、ユーザに選択させ、
入力した前記集約印刷書類の各原稿面の前記原稿面画像から、ユーザによって選択された当該集約印刷書類の前記形態に基づいて、当該集約印刷書類の１ページごとの画像であるページ画像を抽出し、
抽出した前記集約印刷書類の前記ページ画像が当該集約印刷書類の何ページ目の画像であるかを、当該ページ画像が描かれていた用紙をスキャンした順番、当該ページ画像が用紙に描かれていた位置、およびユーザによって選択された当該集約印刷書類の前記形態に基づいて判別する、
ことを特徴とする書類画像データ入力方法。
【請求項７】
１枚または複数枚の用紙によって構成されかつ各用紙の１つの原稿面に複数のページのコンテンツが描かれている書類である集約印刷書類の原稿面の画像である原稿面画像を、当該集約印刷書類の用紙をスキャンすることによって入力し、
入力した前記集約印刷書類の前記原稿面画像の特徴に基づいて、当該集約印刷書類の、用紙におけるページの配置の形態を判別し、
入力した前記集約印刷書類の各原稿面の前記原稿面画像から、判別した当該集約印刷書類の前記形態に基づいて、当該集約印刷書類の１ページごとの画像であるページ画像を抽出し、
抽出した前記集約印刷書類の前記ページ画像が当該集約印刷書類の何ページ目の画像であるかを、当該ページ画像が描かれていた用紙をスキャンした順番、当該ページ画像が用紙に描かれていた位置、および判別した当該集約印刷書類の前記形態に基づいて判別する、
ことを特徴とする書類画像データ入力方法。
【請求項８】
スキャナが接続されたコンピュータに用いられるコンピュータプログラムであって、
１枚または複数枚の用紙によって構成されかつ各用紙の１つの原稿面に複数のページのコンテンツが描かれている書類である集約印刷書類の原稿面を前記スキャナでスキャンすることによって、当該原稿面の画像である原稿面画像を入力する処理と、
前記集約印刷書類の、用紙におけるページの配置の形態を、ユーザに選択させるための処理と、
入力した前記集約印刷書類の各原稿面の前記原稿面画像から、ユーザによって選択された当該集約印刷書類の前記形態に基づいて、当該集約印刷書類の１ページごとの画像であるページ画像を抽出する処理と、
抽出した前記集約印刷書類の前記ページ画像が当該集約印刷書類の何ページ目の画像であるかを、当該ページ画像が描かれていた用紙を前記スキャナでスキャンした順番、当該ページ画像が用紙に描かれていた位置、およびユーザによって選択された当該集約印刷書類の前記形態に基づいて判別する処理と、
をコンピュータに実行させるためのコンピュータプログラム。
【請求項９】
スキャナが接続されたコンピュータに用いられるコンピュータプログラムであって、
１枚または複数枚の用紙によって構成されかつ各用紙の１つの原稿面に複数のページのコンテンツが描かれている書類である集約印刷書類の原稿面を前記スキャナでスキャンすることによって、当該原稿面の画像である原稿面画像を入力する処理と、
入力した前記集約印刷書類の前記原稿面画像の特徴に基づいて、当該集約印刷書類の、用紙におけるページの配置の形態を判別する処理と、
入力した前記集約印刷書類の各原稿面の前記原稿面画像から、判別した当該集約印刷書類の前記形態に基づいて、当該集約印刷書類の１ページごとの画像であるページ画像を抽出する処理と、
抽出した前記集約印刷書類の前記ページ画像が当該集約印刷書類の何ページ目の画像であるかを、当該ページ画像が描かれていた用紙をスキャンした順番、当該ページ画像が用紙に描かれていた位置、および判別した当該集約印刷書類の前記形態に基づいて判別する処理と、
をコンピュータに実行させるためのコンピュータプログラム。
【発明の詳細な説明】
【技術分野】
【０００１】
本発明は、スキャン機能を有するＭＦＰなどの画像処理システムに関する。
【背景技術】
【０００２】
近年、ＭＦＰ（Multi Function Peripherals）または複合機などと呼ばれる多機能型の印刷装置およびパーソナルコンピュータの周辺機器として用いられる印刷装置において、２ｉｎ１印刷、４ｉｎ１印刷、またはブックレット印刷などの応用的な印刷を行うことができるようになった。「２ｉｎ１印刷」とは、１枚の用紙の１つの面を２つの領域に分割し、１つの領域に書類の１ページ分のコンテンツを印刷する印刷手法のことである。つまり、１枚の用紙の１つの面に２ページ分のコンテンツを印刷する。同様に、「４ｉｎ１印刷」とは、１枚の用紙の１つの面を４つの領域に分割し、書類の４ページ分のコンテンツを印刷する印刷手法のことである。「ブックレット印刷」とは、１枚または複数枚の用紙を半分に折ったときの折り代を綴じ代にして綴じれば小冊子、パンフレット、または週刊誌などの形態に仕上げられるようにコンテンツを印刷する印刷手法のことである（図９参照）。「週刊誌綴じ」または「パンフレット綴じ」などと呼ばれることもある。さらに、２ｉｎ１印刷および４ｉｎ１印刷に関しては、用紙の片面だけに行うこともできるし、両面に行うこともできる。
【０００３】
このように、近年の印刷装置によると、様々な形態でページを配置して印刷を行うことができる。以下、Ｎｉｎ１印刷（「Ｎ」は２以上の自然数）およびブックレット印刷のように、１枚の用紙の１つの面に複数ページ分のコンテンツが印刷された印刷物を「集約印刷書類」と記載する。
【０００４】
１枚の用紙の１つの面に１ページ分のコンテンツだけが印刷されたノーマルな印刷物を、Ｎｉｎ１またはブックレットなどの他の形態でコピーすることは、それほど難しくない。なぜなら、このようなノーマルな印刷物においては、例えば両面印刷の形態であれば、通常、１枚目の用紙の表が１ページ目、その裏が２ページ目、２枚目の用紙の表が３ページ目、その裏が４ページ目、…、のように、ページの順番が明確なので、スキャンすることによって得られた各画像が何ページ目のものであるのか簡単に特定できるからである。このようなコピー機能を備えたＭＦＰは、既に普及している。
【０００５】
しかし、逆に、Ｎｉｎ１またはブックレットの形態の印刷物すなわち集約印刷書類を、他の形態でコピーすることは、難しい。なぜなら、集約印刷書類の中のどの部分にどのページのコンテンツが印刷されているのかを特定することが、ノーマルな印刷物の場合よりも難しいからである。
【０００６】
そこで、例えば特許文献１に記載されるような方法が提案されている。特許文献１に記載される方法によると、縮小レイアウト印刷された原稿に含まれる複数枚分の画像のそれぞれを拡大して１頁分の画像として形成して拡大連写コピーする。この際に、原稿画像の中の所定の位置にあるページ番号を認識し、そのページ番号の小さい順に拡大連写コピーする。
【特許文献１】特開平１１−１０３３８１号公報
【発明の開示】
【発明が解決しようとする課題】
【０００７】
ところが、特許文献１に記載されるような従来の方法では、ページ番号が印刷されていないページの原稿画像が含まれている場合は、上手く元のページ順に拡大連写コピーすることができないことがある。なぜなら、ページ番号がなければ、スキャンすることによって得られた原稿画像が元の集約印刷書類のどのページに対応するのかを認識することができないからである。
【０００８】
本発明は、このような問題点に鑑み、１枚の用紙の１つの面に複数ページ分のコンテンツが印刷された印刷物である集約印刷書類の一部にページ番号が付されていない場合であっても、その集約印刷書類をスキャンして得られた各ページの画像のページ順を認識することができるようにすることを目的とする。
【課題を解決するための手段】
【０００９】
本発明に係る書類画像データ入力システムは、書類の用紙をスキャンすることによって当該書類の用紙に描かれているコンテンツの画像の画像データを生成する書類画像データ入力システムであって、１枚または複数枚の用紙によって構成されかつ各用紙の１つの原稿面に複数のページのコンテンツが描かれている書類である集約印刷書類の原稿面をスキャンすることによって当該原稿面の画像である原稿面画像を取得する原稿面画像取得手段と、前記集約印刷書類の、用紙におけるページの配置の形態を、ユーザに選択させるためのページ配置形態選択手段と、前記原稿面画像取得手段によって取得された前記集約印刷書類の各原稿面の前記原稿面画像から、ユーザによって選択された当該集約印刷書類の前記形態に基づいて、当該集約印刷書類の１ページごとの画像であるページ画像を抽出する、ページ画像抽出手段と、前記ページ画像抽出手段によって抽出された前記集約印刷書類の前記ページ画像が当該集約印刷書類の何ページ目の画像であるかを、当該ページ画像が描かれていた用紙が前記原稿面画像取得手段によってスキャンされた順番、当該ページ画像が用紙に描かれていた位置、およびユーザによって選択された当該集約印刷書類の前記形態に基づいて判別する、ページ順判別手段と、を有することを特徴とする。
【００１０】
または、前記集約印刷書類の前記形態を、例えば次のように、自動的に判別するように構成してもよい。すなわち、１枚または複数枚の用紙によって構成されかつ各用紙の１つの原稿面に複数のページのコンテンツが描かれている書類である集約印刷書類の原稿面の画像である原稿面画像を、当該集約印刷書類の用紙をスキャンすることによって取得する、原稿面画像取得手段と、前記原稿面画像取得手段によって取得された前記集約印刷書類の前記原稿面画像の特徴に基づいて、当該集約印刷書類の、用紙におけるページの配置の形態を判別する、ページ配置形態判別手段と、前記原稿面画像取得手段によって取得された前記集約印刷書類の各原稿面の前記原稿面画像から、前記ページ配置形態判別手段によって判別された当該集約印刷書類の前記形態に基づいて、当該集約印刷書類の１ページごとの画像であるページ画像を抽出する、ページ画像抽出手段と、前記ページ画像抽出手段によって抽出された前記集約印刷書類の前記ページ画像が当該集約印刷書類の何ページ目の画像であるかを、当該ページ画像が描かれていた用紙が前記原稿面画像取得手段によってスキャンされた順番、当該ページ画像が用紙に描かれていた位置、および前記ページ配置形態判別手段によって判別された当該集約印刷書類の前記形態に基づいて判別する、ページ順判別手段と、によって書類画像データ入力システムを構成する。
【発明の効果】
【００１１】
本発明によると、１枚の用紙の１つの面に複数ページ分のコンテンツが印刷された印刷物である集約印刷書類の一部にページ番号が付されていない場合であっても、その集約印刷書類をスキャンして得られた各ページの画像のページ順を認識することができる。
【００１２】
特に、請求項１〜３、６、８の発明によると、ページ番号が全く付されていない場合であっても、各ページの画像のページ順を認識することができる。請求項４、５、７、９の発明によると、ユーザは、集約印刷書類のページの配置の形態が分からなくても、スキャン処理を行わせることができる。
【発明を実施するための最良の形態】
【００１３】
図１は画像形成装置１が設けられたシステムの全体的な構成の例を示す図、図２は画像形成装置１のハードウェア構成の例を示す図、図３は操作パネル１０ｆの例を示す図、図４は画像形成装置１の機能的構成の例を示す図である。
【００１４】
本発明に係る画像形成装置１は、図１に示すように、通信回線３を介して１台または複数台の端末装置２と互いに接続されている。通信回線３として、インターネット、イントラネット、公衆回線、または専用線などが用いられる。
【００１５】
端末装置２には、画像形成装置１に対応したアプリケーションプログラムおよびドライバがインストールされている。端末装置２として、パーソナルコンピュータまたはワークステーションなどが用いられる。
【００１６】
画像形成装置１は、コピー、スキャナ、ファックス、ネットワークプリンティング、およびドキュメントサーバなどの様々な機能を集約した処理装置である。複合機またはＭＦＰ（Multi Function Peripherals）などと呼ばれることもある。
【００１７】
画像形成装置１は、役所または企業などのオフィス、学校または図書館などの公共施設、コンビニエンスストアなどの店舗、その他種々の場所に設置され、複数のユーザによって共用することができる。
【００１８】
図２に示すように、画像形成装置１は、ＣＰＵ１０ａ、ＲＡＭ１０ｂ、ＲＯＭ１０ｃ、ハードディスク１０ｄ、制御用回路１０ｅ、操作パネル１０ｆ、スキャナユニット１０ｇ、印刷ユニット１０ｈ、通信インタフェース１０ｊ、および原稿送り機構１０ｋなどによって構成される。
【００１９】
制御用回路１０ｅは、ハードディスク１０ｄ、スキャナユニット１０ｇ、印刷ユニット１０ｈ、通信インタフェース１０ｊ、および操作パネル１０ｆなどを制御するための回路である。
【００２０】
スキャナユニット１０ｇは、書類に描かれている文章、数式、記号、写真、図表、またはイラストなどのコンテンツの画像を光学的に読み取って画像データを生成する装置である。
【００２１】
原稿送り機構１０ｋは、書類を構成する１枚または複数枚の用紙を順にスキャナユニット１０ｇに送る。また、いわゆる両面原稿に対応しており、書類の各用紙について、一方の面がスキャナユニット１０ｇで読み取られた後、それを反転させて再度スキャナユニット１０ｇに送り出すことによってもう一方の面を読み取らせることができる。
【００２２】
以下、書類を構成する用紙のうち、コンテンツが描かれている面を「原稿面」と記載する。一般に、「印刷面」と呼ばれることもある。用紙の両面にコンテンツが描かれている場合（いわゆる両面原稿の場合）は、用紙の表裏それぞれが原稿面であり、用紙の片面のみにコンテンツが描かれている場合（いわゆる片面原稿の場合）は、その描かれている面のみが原稿面である。また、原稿面の全体に描かれている画像を「原稿面画像」と記載する。
【００２３】
印刷ユニット１０ｈは、スキャナユニット１０ｇによって得られた画像データまたは端末装置２などから送信されてきた画像データに基づいて画像を用紙に印刷する。通信インタフェース１０ｊは、他の装置と通信を行うためのＮＩＣ（Network Interface Card）またはモデムなどである。
【００２４】
操作パネル１０ｆは、図３に示すように、操作部ＳＢおよび表示部ＴＤによって構成される。操作部ＳＢとしてテンキーなどが用いられ、表示部ＴＤとして液晶ディスプレイなどが用いられる。ユーザは、操作部ＳＢを操作することによって、画像形成装置１に対して、処理の実行開始または中断などの指令を与え、データの宛先、印刷条件、またはスキャン条件などの処理条件を指定し、その他種々の事項を指定することができる。表示部ＴＤには、ユーザに対してメッセージまたは指示を与えるための画面、ユーザが所望する処理の種類および処理条件を入力するための画面、および画像形成装置１で実行された処理の結果を示す画面などが表示される。操作パネル１０ｆとしてタッチパネルを用いた場合は、タッチパネルが操作部ＳＢおよび表示部ＴＤの両方を兼ねる。このように、操作パネル１０ｆは、画像形成装置１を操作するユーザのためのユーザインタフェースの役割を果たしている。
【００２５】
ハードディスク１０ｄには、図４に示すような画面表示制御部１０１、原稿面画像取得制御部１０２、ページ配置形態判別部１０３、原稿面画像補正部１０４、ページ画像抽出部１０５、対応ページ判別部１０６、ページ画像ソート部１０７、書類ファイル生成部１０８、印刷指示ファイル生成部１０９、および電子ファイル送信制御部１０Ｓなどの各機能を実現するためのプログラムおよびデータなどが格納されている。これらのプログラムは必要に応じてＲＡＭ１０ｂに読み出され、ＣＰＵ１０ａによってプログラムが実行される。これらのプログラムまたはデータの一部または全部を、ＲＯＭ１０ｃに記憶させておいてもよい。または、図４に示す機能の一部または全部を、制御用回路１０ｅによって実現するようにしてもよい。
【００２６】
図５はスキャン処理画面ＨＧ１の例を示す図、図６は２ｉｎ１の集約印刷書類のページの配置の形態の例を示す図、図７は４ｉｎ１の集約印刷書類のページの配置の形態の例を示す図、図８はブックレットの集約印刷書類のページの配置の形態の例を示す図、図９はブックレットの集約印刷書類の構成の例を示す図、図１０は書類ページ形態設定画面ＨＧ２の例を示す図、図１１は２ｉｎ１および４ｉｎ１の集約印刷書類の各原稿面画像ＧＤの構成の例を示す図、図１２はブックレットの集約印刷書類の各原稿面画像ＧＤの構成の例を示す図、図１３は原稿面画像ＧＤの中のコンテンツ部分およびマージンの配置の例を示す図、図１４はページ画像ＧＰを抽出する方法の例を説明するための図、図１５はページ画像ＧＰのソートの方法を説明するための図である。
【００２７】
次に、図４に示す画像形成装置１の各部の処理内容などについて詳細に説明する。画面表示制御部１０１は、処理の結果またはユーザによる操作などに応じた画面を操作パネル１０ｆの表示部ＴＤに表示させるための制御を行う。例えば、表示部ＴＤに初期メニュー画面が表示されているときに「スキャン」タブが押されたことを検知すると、図５に示すようなスキャン処理画面ＨＧ１を表示させる。
【００２８】
原稿面画像取得制御部１０２は、原稿送り機構１０ｋの所定の位置にセットされた書類の各原稿面の原稿面画像を取得するために、スキャナユニット１０ｇおよび原稿送り機構１０ｋなどのハードウェアを制御する。本実施形態に係る画像形成装置１は、図６〜図８に示すような、１枚の用紙の１つの面に複数ページ分のコンテンツが描かれている書類（以下、「集約印刷書類」と記載する。）をスキャン処理の対象とする点が特徴の１つである。そこで、ここでは、この集約印刷書類の各原稿面の原稿面画像を取得する場合の原稿面画像取得制御部１０２の処理内容について説明する。
【００２９】
なお、図６（ａ）は、用紙の表側の面だけが原稿面であり、原稿面が左右に分割されており、かつ左右それぞれの領域に１ページ分のコンテンツが描かれている集約印刷書類におけるページの配置の形態を示している。つまり、図６（ａ）に示す集約印刷書類は、いわゆる「片面２ｉｎ１」の書類（原稿）であると言える。図６（ｂ）は、用紙の表裏両方が原稿面であり、原稿面が左右に分割されており、かつ左右それぞれの領域に１ページ分のコンテンツが描かれている集約印刷書類におけるページの配置の形態を示している。つまり、図６（ｂ）に示す集約印刷書類は、いわゆる「両面２ｉｎ１」の書類（原稿）であると言える。図中の「１」、「２」、「３」などの数字および「２ｎ−１」、「２ｎ」、「４ｎ」などの対象式は、ページの並び順を表している。本実施形態における「ページ」には、書類の本題に直接関係するコンテンツのページだけでなく、表紙、目次、索引、および裏表紙などのような、付随的なコンテンツのページも含まれる。よって、作者が割り振ったページ番号と一致するとは限らない。図７および図８においても、同様である。
【００３０】
図７（ａ）は、用紙の表側の面だけが原稿面であり、原稿面が２×２個の領域に分割されており、かつそれぞれの領域に１ページ分のコンテンツが描かれている集約印刷書類におけるページの配置の形態を示している。つまり、図７（ａ）に示す集約印刷書類は、いわゆる「片面４ｉｎ１」の書類（原稿）であると言える。図７（ｂ）は、用紙の表裏両方が原稿面であり、原稿面が２×２個の領域に分割されており、かつそれぞれの領域に１ページ分のコンテンツが描かれている集約印刷書類におけるページの配置の形態を示している。つまり、図７（ｂ）に示す集約印刷書類は、いわゆる「両面４ｉｎ１」の書類（原稿）であると言える。
【００３１】
図８（ａ）（ｂ）は、ともに、ブックレット仕上げの書類である。「ブックレット」とは、用紙の中央を綴じ代にして小冊子やパンフレット、週刊誌のように作成された書類（印刷物、原稿）のことである。「週刊誌綴じ」または「パンフレット綴じ」などとと呼ばれることもある。図８（ａ）は、図９（ａ）のような、表紙に相当するページ（１ページ目）に向かって左側を綴じる形態の集約印刷書類における、ページの配置の形態を示している。つまり、いわゆる「左綴じブックレット」の書類（原稿）であると言える。一方、図８（ｂ）は、図９（ｂ）のような、表紙に相当するページ（１ページ目）に向かって右側を綴じる形態の集約印刷書類における、ページの配置の形態を示している。つまり、いわゆる「右綴じブックレット」の書類（原稿）であると言える。
【００３２】
原稿面画像取得制御部１０２は、ユーザが操作パネル１０ｆを操作してスキャン条件などを指定するのを待つ。
【００３３】
ユーザは、スキャン処理の対象つまり電子データ化したい集約印刷書類を原稿送り機構１０ｋの所定の位置にセットする。このとき、書類の天地および表裏が所定の向きになるようにしておく。その集約印刷書類がステープルなどで綴じられている場合は、セットする前にそのステープルを取り除くなどして、１枚１枚の用紙を独立させておく。なお、本実施形態では、２ｉｎ１の集約印刷書類および４ｉｎ１の集約印刷書類については、若いページ（前方のページ）から順にスキャナユニット１０ｇに読み取られるようにセットするように、ブックレットの集約印刷書類については、外側すなわち表紙および裏表紙が描かれているページから順に読み取られるようにセットするように、定められているものとする。
【００３４】
さらに、ユーザは、スキャン処理画面ＨＧ１（図５参照）において、その集約印刷書類の読取時の解像度をボタンを押して選択する。集約印刷書類の電子データの送信先の端末装置２を、例えばＩＰアドレスによって指定する。集約印刷書類のページの配置の形態を、ユーザ自らが指定するか画像形成装置１に自動判別させるかを選択する。前者を所望する場合は「書類ページ形態手動選択」ボタンを押し、後者を希望する場合は「書類ページ形態自動判別」ボタンを押す。そして、これらの事項を指定しまたは選択した後、「ＯＫ」ボタンを押す。
【００３５】
「書類ページ形態手動選択」ボタンが選択された後「ＯＫ」ボタンが押された場合は、表示部ＴＤの表示が、画面表示制御部１０１によってスキャン処理画面ＨＧ１から図１０に示すような書類ページ形態設定画面ＨＧ２に切り換えられる。
【００３６】
ここで、ユーザは、原稿送り機構１０ｋにセットした集約印刷書類の各ページが用紙にどのように配置されているかを、ボタンを押すことによって指定（選択）する。集約印刷書類のページの配置の形態が図６（ａ）のような片面２ｉｎ１である旨を指定したい場合は、書類ページ形態設定画面ＨＧ２の中の「２ｉｎ１」ボタンおよび「片面」ボタンを押す。図６（ｂ）のような両面２ｉｎ１である旨を指定したい場合は、「２ｉｎ１」ボタンおよび「両面」ボタンを押す。図７（ａ）のような片面４ｉｎ１である旨を指定したい場合は、「４ｉｎ１」ボタンおよび「片面」ボタンを押す。図７（ｂ）のような両面４ｉｎ１である旨を指定したい場合は、「４ｉｎ１」ボタンおよび「両面」ボタンを押す。図８（ａ）のような左綴じブックレットである旨を指定したい場合は、「左綴じブックレット」ボタンを押す。図８（ｂ）のような右綴じブックレットである旨を指定したい場合は、「右綴じブックレット」ボタンを押す。そして、指定した後、「ＯＫ」ボタンを押す。
【００３７】
すると、原稿面画像取得制御部１０２は、ユーザがスキャン処理画面ＨＧ１および書類ページ形態設定画面ＨＧ２で行った選択または指定を受け付け、これに基づいて原稿送り機構１０ｋにセットされている集約印刷書類を読み取るための制御処理を開始する。
【００３８】
具体的には、原稿面画像取得制御部１０２は、書類ページ形態設定画面ＨＧ２において「両面」ボタン、「左綴じブックレット」ボタン、または「右綴じブックレット」ボタンが押された場合（すなわち、両面２ｉｎ１、両面４ｉｎ１、左綴じブックレット、または右綴じブックレットのうちのいずれかが指定された場合）は、集約印刷書類の用紙の両面が読み取られるように原稿送り機構１０ｋおよびスキャナユニット１０ｇを制御する。「片面」ボタンが選択された場合（すなわち、片面２ｉｎ１または片面４ｉｎ１のうちのいずれかが指定された場合）は、片面のみが読み取られるように原稿送り機構１０ｋおよびスキャナユニット１０ｇを制御する。また、読取時の解像度がスキャン処理画面ＨＧ１のボタンで指定された値（２００ｄｐｉ、４００ｄｐｉ、または６００ｄｐｉのいずれか）になるようにスキャナユニット１０ｇを制御する。
【００３９】
これにより、片面２ｉｎ１または両面２ｉｎ１の集約印刷書類の場合は図１１（ａ）に示すような形態の原稿面画像が得られ、片面４ｉｎ１または両面４ｉｎ１の集約印刷書類の場合は図１１（ｂ）に示すような形態の原稿面画像が得られ、左綴じブックレットの集約印刷書類の場合は図１２（ａ）に示すような形態の原稿面画像が得られ、右綴じブックレットの集約印刷書類の場合は図１２（ｂ）に示すような形態の原稿面画像が得られる。
【００４０】
なお、図１１および図１２において、「原稿面番号」は、原稿面を識別する番号であって、原稿面画像が読み取られた原稿面の順番に「１」、「２」、…と付される。原稿面画像の中の「１」、「２」、「３」などの数字および「２ｍ」、「２ｍ−１」、「４ｍ」、「４ｍ−１」などの対象式は、集約印刷書類のページの並び順を意味する。実際に取得された原稿面画像には、その集約印刷書類の中の対応するページのコンテンツの画像が描かれている。両面２ｉｎ１、両面４ｉｎ１、左綴じブックレット、および右綴じブックレットは、１枚の用紙につき２面が原稿面となるので、最後の原稿面番号（図１１および図１２における「ｍ」）は、必ず偶数となる。
【００４１】
一方、図５のスキャン処理画面ＨＧ１において「書類ページ形態自動判別」ボタンが選択された後「ＯＫ」ボタンが押された場合は、図６の書類ページ形態設定画面ＨＧ２は表示されない。原稿面画像取得制御部１０２は、スキャン処理画面ＨＧ１で選択されたスキャン条件で原稿送り機構１０ｋにセットされている集約印刷書類を読み取るための制御処理を開始する。また、集約印刷書類を読み取り始めた時点では、スキャン処理の対象の集約印刷書類のページの配置の形態が分からない。したがって、用紙の裏面にページのコンテンツの画像が印刷されているか否かが分からない。そこで、用紙の表面および裏面両方とも原稿面であるものとみなして、原稿面画像が読み取られるように制御する。
【００４２】
以下、原稿面画像取得制御部１０２によって取得された原稿面画像を、「原稿面画像ＧＤ」と記載する。
【００４３】
ページ配置形態判別部１０３は、書類ページ形態自動判別のモードの場合に、原稿面画像取得制御部１０２によって取得された原稿面画像ＧＤに基づいて、集約印刷書類のページの配置の形態を判別する。
【００４４】
一般に、集約印刷書類には、次のような特徴がある。１ページ分のコンテンツが用紙の１つの面に描かれている書類（つまり、応用のオプションが指定されていない通常の印刷処理によって生成される、ノーマルな書類）の場合は、ほとんどが真っ白である余白部分（以下、「マージン」と記載する。）が、図１３（ａ）のように、原稿面画像ＧＤの上端、下端、右端、および左端に「ロ」の字型に表れる。これに対して、２ｉｎ１の集約印刷書類およびブックレットの集約印刷書類の場合は、マージンは、図１３（ｂ）のように、「ロ」の字を２つくっ付けた形（「日」の字を寝かせたような形）で表れる。４ｉｎ１の集約印刷書類の場合は、マージンは、図１３（ｃ）のように、「田」の字型に表れる。
【００４５】
また、片面２ｉｎ１の集約印刷書類および片面４ｉｎ１の集約印刷書類の場合は、原稿面番号が偶数である原稿面の原稿面画像ＧＤがほとんど真っ白である。
【００４６】
また、一般に、作者が割り振ったページ番号を示す数字は、ページのマージンの部分に配置されているが、２ｉｎ１の集約印刷書類の場合は、図１１（ａ）から分かるように、同じ原稿面画像ＧＤの中の左右に隣り合う２つのページのページ番号を示す数字は連番となる。これに対して、左綴じブックレットの集約印刷書類の場合は、図１２（ａ）から分かるように、原稿面番号が奇数であれば左側のページに描かれているページ番号を示す数字のほうが右側のページに描かれているページ番号よりも大きく、偶数であれば左側のページに描かれているページ番号を示す数字のほうが右側のページに描かれているページ番号よりも小さい。右綴じブックレットの集約印刷書類の場合は、その逆である。つまり、図１２（ｂ）から分かるように、原稿面番号が奇数であれば左側のページに描かれているページ番号を示す数字のほうが右側のページに描かれているページ番号よりも小さく、偶数であれば左側のページに描かれているページ番号を示す数字のほうが右側のページに描かれているページ番号よりも大きい。
【００４７】
以上のような特徴から、ページ配置形態判別部１０３は、今回の処理対象の集約印刷書類のページの配置の形態を判別する。すなわち、
（１）原稿面が奇数である原稿面画像ＧＤにおいてマージンが図１３（ｃ）のような「田」の字型に表れ、かつ、原稿面番号が偶数である原稿面の原稿面画像ＧＤがほとんど真っ白である場合は、片面４ｉｎ１である、と判別する。
（２）原稿面画像ＧＤにおいてマージンが図１３（ｃ）のような「田」の字型に表れ、かつ、原稿面番号が偶数である原稿面の原稿面画像ＧＤに何らかのコンテンツが描かれている場合は、両面４ｉｎ１である、と判別する。
（３）原稿面が奇数である原稿面画像ＧＤにおいてマージンが図１３（ｂ）のような型に表れ、同じ原稿面画像ＧＤの中の左右に隣り合う２つのページのページ番号を示す数字が連番であり、かつ、原稿面番号が偶数である原稿面の原稿面画像ＧＤがほとんど真っ白である場合は、片面２ｉｎ１である、と判別する。
（４）原稿面画像ＧＤにおいてマージンが図１３（ｂ）のような型に表れ、同じ原稿面画像ＧＤの中の左右に隣り合う２つのページのページ番号を示す数字が連番であり、かつ、原稿面番号が偶数である原稿面の原稿面画像ＧＤに何らかのコンテンツが描かれている場合は、両面２ｉｎ１である、と判別する。
（５）原稿面画像ＧＤにおいてマージンが図１３（ｂ）のような型に表れ、同じ原稿面画像ＧＤの中の左右に隣り合う２つのページのページ番号を示す数字のうち、原稿面番号が奇数である原稿面画像ＧＤについては左側の数字のほうが右側の数字よりも大きく、かつ偶数である原稿面画像ＧＤについてはその逆である場合は、左綴じブックレットである、と判別する。
（６）原稿面画像ＧＤにおいてマージンが図１３（ｂ）のような型に表れ、同じ原稿面画像ＧＤの中の左右に隣り合う２つのページのページ番号を示す数字のうち、原稿面番号が奇数である原稿面画像ＧＤについては左側の数字のほうが右側の数字よりも小さく、かつ偶数である原稿面画像ＧＤについてはその逆である場合は、右綴じブックレットである、と判別する。
【００４８】
なお、すべての原稿面画像ＧＤについて上記の特徴の有無を調べる必要はなく、一部の原稿面画像ＧＤについて調べれば、ページの配置の形態を判別することができる。ページ配置形態判別部１０３による判別が上手く行かない場合は、画面表示制御部１０１によって書類ページ形態設定画面ＨＧ２を表示させ、ユーザに集約印刷書類のページの配置の形態を選択させるようにしてもよい。
【００４９】
また、書類ページ形態自動判別のモードで片面２ｉｎ１の集約印刷書類または片面４ｉｎ１の集約印刷書類を処理する場合は、用紙の表裏両面ともスキャンされるが、裏面には何もコンテンツが描かれていない。したがって、原稿面画像取得制御部１０２によって取得されたその集約印刷書類の原稿面画像ＧＤのうちの原稿面番号が偶数である原稿面画像ＧＤは不要である。そこで、原稿面番号が偶数である原稿面画像ＧＤは破棄する。そして、残った原稿面画像ＧＤで原稿面番号を振り直す。
【００５０】
原稿面画像補正部１０４は、原稿面画像ＧＤの中にステープルまたはパンチ穴の痕の画像が含まれている場合は、それを除去するための補正処理をその原稿面画像ＧＤに対して実行する。
【００５１】
原稿面画像ＧＤの上下の向き（天地）が正しいか否かを判別し、正しくない場合は、原稿面画像ＧＤを１８０度回転させる補正、いわゆる天地補正を行う。一般に、ページの上方の部分と下方の部分とを比較すると、下方の部分のほうが白いことが多い。そこで、原稿面画像取得制御部１０２によって取得された複数の原稿面画像ＧＤの上方の部分と下方の部分との白い部分の比率を算出し、上方の部分の白い部分の比率のほうが下方の部分の白い部分の比率よりも高い場合は、原稿面画像ＧＤの上下の向きが正しくないと判別する。
【００５２】
また、スキャン処理の対象の集約印刷書類がブックレットである場合は、コンテンツの画像が、折を考慮して少しずつ位置調整が施されて用紙に印刷されていることがある。すなわち、製本したときの各ページのコンテンツの部分の位置を揃えるために、ブックレットの外側（つまり、表紙および裏表紙）に近い用紙ほど、綴じ代の部分が広く取られるように印刷されていることがある。このような位置調整は、「クリーピング処理」などと呼ばれることがある。このような位置調整が集約印刷書類に対して施されていると、原稿面画像取得制御部１０２によって取得された各原稿面画像ＧＤの位置が少しずつシフトされていることがある。そこで、原稿面画像補正部１０４は、ある１つの原稿面画像ＧＤのコンテンツ部分の原稿面画像ＧＤ内における位置を基準位置と定めておく。そして、これ以外の原稿面画像ＧＤに対して、それぞれに含まれるコンテンツ部分の画像が基準位置に揃うように、位置調整の補正を行う。
【００５３】
原稿面画像補正部１０４によるこれらの補正処理は、公知の方法を用いて行うことができる。
【００５４】
ページ画像抽出部１０５は、原稿面画像補正部１０４によって必要な補正処理が施された原稿面画像ＧＤから集約印刷書類の各ページの画像を抽出する。集約印刷書類のページの配置の形態が２ｉｎ１またはブックレットである場合は、図１４（ａ）に示すように、原稿面画像ＧＤを左右に二等分に分割し、分割されたそれぞれの画像をページ画像ＧＰとして抽出する。または、集約印刷書類のページの配置の形態が４ｉｎ１である場合は、図１４（ｂ）に示すように、原稿面画像ＧＤを縦横２×２に四等分に分割し、分割されたそれぞれの画像をページ画像ＧＰとして抽出する。
【００５５】
さらに、抽出したページ画像ＧＰを、元の集約印刷書類の形態に応じて、１枚の用紙のサイズに合うように拡大する。つまり、例えば、元の集約印刷書類が描かれていた用紙のサイズがＡ４またはＢ４などの定型のものでありかつ元の集約印刷書類が２ｉｎ１またはブックレットである場合は縦および横をそれぞれルート２倍（約１．４１４倍）に拡大し、４ｉｎ１である場合は２倍に拡大する。
【００５６】
対応ページ判別部１０６は、ページ画像抽出部１０５によって抽出され拡大処理が施された各ページ画像ＧＰが元の集約印刷書類のどのページに対応するかを、元の集約印刷書類のページの配置の形態、ページ画像ＧＰがスキャンされた順番すなわちページ画像ＧＰの元の原稿面画像ＧＤの原稿面番号、およびページ画像ＧＰが元の原稿面画像ＧＤに描かれていた位置に基づいて判別する。そして、若いページに対応するページ画像ＧＰから順に、「１」、「２」、「３」、…という連番のページ識別番号を与える。
【００５７】
具体的には、片面２ｉｎ１または両面２ｉｎ１である場合は、図１１（ａ）に示すようにページ識別番号を対応付ける。すなわち、原稿面番号が「１」である原稿面画像ＧＤから抽出された２つのページ画像ＧＰのうち、左側にあったページ画像ＧＰにはページ識別番号として「１」を与え、右側にあったページ画像ＧＰには「２」を与える。同様に、片面４ｉｎ１または両面４ｉｎ１である場合は、図１１（ｂ）に示すようにページ識別番号を与える。また、左綴じブックレットである場合は、図１２（ａ）に示すようにページ識別番号を与え、右綴じブックレットである場合は、図１２（ｂ）に示すようにページ識別番号を与える。
【００５８】
前に述べたように、画像形成装置１は、表紙、目次、索引、および裏表紙などのような、付随的なコンテンツのページも、１つのページとして認識している。したがって、ページ画像ＧＰに与えたページ識別番号の値と作者が割り振ったページ番号の値とは、一致しない場合があり得る。
【００５９】
ページ画像ソート部１０７は、分割された各原稿面画像ＧＤの各ページ画像ＧＰを、それに対応付けられているページ識別番号の若い順にソートする。例えば、図１５（ａ）に示すような、左綴じブックレットの形態でありかつ８ページからなる集約印刷書類のページ画像ＧＰの場合は、図１５（ｂ）に示すようにソートされる。
【００６０】
なお、元の集約印刷書類のページの総数が奇数でありかつページの配置の形態が２ｉｎ１である場合は、ソートされた最後のページ画像ＧＰにはコンテンツが描かれていない。また、元の集約印刷書類のページの総数が４の倍数でなくかつページの配置の形態が４ｉｎ１またはブックレットである場合も同様に、ソートされた最後の３ページ分のページ画像ＧＰのうちのいずれか１つまたは複数にはコンテンツが描かれていない。そこで、ソートの後、コンテンツのないこれらのページ画像ＧＰを破棄するようにしてもよい。
【００６１】
書類ファイル生成部１０８は、ページ画像ソート部１０７によってソートされた順に、集約印刷書類のすべてのページ画像ＧＰを１つのファイルにバインドし、書類ファイルＦＬＳを生成する。書類ファイルＦＬＳのフォーマットとして、例えばＰＤＦ（Portable Document Format）またはＴＩＦＦ（Tagged Image File Format）などが用いられる。
【００６２】
印刷指示ファイル生成部１０９は、書類ファイル生成部１０８によって生成された書類ファイルＦＬＳに対応する印刷指示ファイルＦＬＩを生成する。この印刷指示ファイルＦＬＩは、書類ファイルＦＬＳに係る集約印刷書類の元のページの配置の形態（片面２ｉｎ１、両面２ｉｎ１、片面４ｉｎ１、両面４ｉｎ１、左綴じブックレット、または右綴じブックレットのうちのいずれか）を示しており、集約印刷書類を元の形態で複製印刷する際に用いられる。印刷指示ファイルＦＬＩのフォーマットとして、ＪＤＦ（Job Description Format）またはＰＪＬ（Printer Job Language）などに基づくものが用いられるのが好ましいが、独自にフォーマットを定義しても構わない。
【００６３】
電子ファイル送信制御部１０Ｓは、書類ファイルＦＬＳおよび印刷指示ファイルＦＬＩを互いに対応付けて、スキャン処理画面ＨＧ１（図５参照）で指定された送信先の端末装置２に送信する。書類ファイルＦＬＳと印刷指示ファイルＦＬＩとを１つのファイルにバインドして送信するようにしてもよい。なお、印刷指示ファイルＦＬＩの生成は、ユーザが要求した場合にのみ行うようにしてもよい。
【００６４】
端末装置２は、画像形成装置１から書類ファイルＦＬＳを受信すると、その書類ファイルＦＬＳを用いて、集約印刷書類を元の形態に関わらず、片面２ｉｎ１、両面２ｉｎ１、片面４ｉｎ１、両面４ｉｎ１、左綴じブックレット、または右綴じブックレットなど様々な形態で複製（印刷）することができる。ノーマルな片面印刷または両面印刷も可能である。また、書類ファイルＦＬＳに印刷指示ファイルＦＬＩが対応付けられている場合は、この印刷指示ファイルＦＬＩに基づいて集約印刷書類を元の形態で複製印刷することができる。
【００６５】
次に、集約印刷書類の書類ファイルＦＬＳおよび印刷指示ファイルＦＬＩを生成する際の画像形成装置１の処理の流れおよび集約印刷書類の印刷のための処理を行う際の端末装置２の処理の流れを、フローチャートを参照して説明する。
【００６６】
図１６は集約印刷書類のスキャン処理の際の画像形成装置１における全体的な処理の流れの例を説明するフローチャート、図１７は端末装置２において書類ファイルＦＬＳを使用する際の処理の流れの例を説明するフローチャートである。
【００６７】
図１６において、ユーザが所定の操作を行うと、画像形成装置１は、図５に示すようなスキャン処理画面ＨＧ１を表示する（＃１）。ここで、ユーザは、スキャン処理の条件を指定する。さらに、集約印刷書類のページの配置の形態を指定する場合は「書類ページ形態手動選択」ボタンを押し、画像形成装置１に自動判別させたい場合は「書類ページ形態自動判別」ボタンを押す。
【００６８】
「書類ページ形態手動選択」ボタンが押された場合は（＃２でＮｏ）、図１０に示すような書類ページ形態設定画面ＨＧ２を表示する（＃３）。ここで、ユーザは、ボタンを選択することによって、スキャン処理の対象である集約印刷書類のページの配置の形態を指定する。すると、画像形成装置１は、スキャン処理画面ＨＧ１および書類ページ形態設定画面ＨＧ２における指定内容などに基づいて、集約印刷書類の各原稿面をスキャンして原稿面画像ＧＤの画像データを生成する（＃４）。
【００６９】
一方、「書類ページ形態自動判別」ボタンが押された場合は（＃２でＹｅｓ）、集約印刷書類の各用紙の両面をスキャンして原稿面画像ＧＤの画像データを生成し（＃５）、原稿面画像ＧＤの特徴に基づいてその集約印刷書類のページの配置の形態を判別する（＃６）。なお、集約印刷書類の形態が片面２ｉｎ１または片面４ｉｎ１であると判別された場合は、原稿面番号が偶数である原稿面画像ＧＤを削除し、残りの原稿面画像ＧＤで原稿面番号を振り直しておく。
【００７０】
ステップ＃４またはステップ＃５で取得された画像データに係る原稿面画像ＧＤの補正が必要な場合は（＃７でＹｅｓ）、ステープルまたはパンチ穴の痕の除去、天地の回転、または位置調整などの補正処理を実行する（＃８）。
【００７１】
各原稿面画像ＧＤから集約印刷書類の１ページごとのページ画像ＧＰを抽出し（＃９）、図１１または図１２の規則に基づいて各ページ画像ＧＰにページ識別番号を与える。抽出したページ画像ＧＰを、ページ識別番号の小さい順にソートする（＃１０）。そして、ソートしたページ画像ＧＰの画像データを１つのファイルにバインドすることによって書類ファイルＦＬＳを生成する（＃１１）。
【００７２】
また、ユーザが印刷指示ファイルＦＬＩを所望している場合は（＃１２でＹｅｓ）、スキャンした集約印刷書類のページの配置の形態を示す印刷指示ファイルＦＬＩを生成する（＃１３）。
【００７３】
そして、生成した書類ファイルＦＬＳを、ユーザが指定した送信先の端末装置２に送信する（＃１４）。印刷指示ファイルＦＬＩを生成した場合は、これを書類ファイルＦＬＳとともに送信する。
【００７４】
図１７において、書類ファイルＦＬＳなどを受信した端末装置２では、次のようにして書類ファイルＦＬＳを用いた処理が行われる。ユーザが所定の操作を行うと、端末装置２は、画像形成装置１から受信した書類ファイルＦＬＳの識別情報（ファイル名または書類名など）の一覧を端末装置２自身のディスプレイに表示させる（＃２１）。このとき、対応する印刷指示ファイルＦＬＩを有する書類ファイルＦＬＳについては（＃２２でＹｅｓ）、その印刷指示ファイルＦＬＩの内容すなわち元の集約印刷書類のページの配置の形態を示す情報を、一覧とともに表示することによってユーザに提示する（＃２３）。例えば、ある書類ファイルＦＬＳに対応する印刷指示ファイルＦＬＩに、元の集約印刷書類が左閉じブックレットである旨が示されている場合は、その書類ファイルＦＬＳの識別情報の横に「左綴じブックレット」というテキストなどを表示する。
【００７５】
ここで、ユーザは、印刷したい集約印刷書類を指定する。このときに、必要に応じて、印刷部数、解像度、カラー（カラー印刷かモノクロ印刷か）、仕上げ（パンチ穴、ステープル綴じ、またはソートなど）、または用紙サイズなどの印刷条件も一緒に指定する。さらに、印刷形態（片面２ｉｎ１、両面２ｉｎ１、片面４ｉｎ１、両面４ｉｎ１、左綴じブックレット、または右綴じブックレット）に関する印刷条件をも指定することもできる。印刷指示ファイルＦＬＩの内容（印刷形態）が提示されている場合は、別の印刷形態に変更して印刷処理を実行させることもできるし、提示された印刷形態のまま印刷処理を実行させることもできる。
【００７６】
すると、端末装置２は、これらの指定内容を受け付け（＃２４）、従来と同様に、指定内容の通りに印刷処理を実行するための印刷データＰＤＴを生成し（＃２５）、その印刷データＰＤＴを、印刷処理を実行する装置に送信する（＃２６）。例えば、画像形成装置１に送信する。または、ＵＳＢ（Universal Serial Bus）などのインタフェースを介して端末装置２に接続されている印刷装置を用いてもよい。
【００７７】
端末装置２から印刷データＰＤＴを受信した画像形成装置１または印刷装置は、従来と同様に、印刷処理を開始する。
【００７８】
本実施形態によると、１枚の用紙の１つの面に複数ページ分のコンテンツが印刷された印刷物である集約印刷書類の一部にページ番号が付されていない場合であっても、その集約印刷書類をスキャンして得られた各ページの画像のページ順を認識することができる。特に、書類ページ形態手動選択のモードにおいては、ページ番号が全く付されていない場合であっても、その集約印刷書類をスキャンして得られた各ページの画像のページ順を認識することができる。また、書類ページ形態自動判別のモードによると、ユーザは、集約印刷書類のページの配置の形態が分からなくても、画像形成装置１にスキャン処理を行わせることができる。
【００７９】
本実施形態では、２ｉｎ１、４ｉｎ１、またはブックレットの形態にページが配置された集約印刷書類を例に説明したが、本発明を、これ以外の形態の集約印刷書類にも適用することができる。例えば、８ｉｎ１または１６ｉｎ１などの集約印刷書類にも適用することができる。また、本実施形態では、２ｉｎ１または４ｉｎ１の集約印刷書類において、１枚の用紙の１つの面に、図１１に示すような規則でページが配置されている場合を例について説明したが、これ以外の規則でページが配置されている場合にも本発明を適用することができる。例えば、本実施形態では、図１１（ｂ）に示すような、左上、右上、左下、右下、の順にページが配置されている４ｉｎ１の集約印刷書類を例に説明したが、左上、左下、右上、右下、の順にページが配置されている４ｉｎ１の集約印刷書類にも、本発明を適用することができる。
【００８０】
図１８はコピー処理画面ＨＧ３の例を示す図、図１９は集約印刷書類をコピーする際の画像形成装置１の処理の流れの例を説明するフローチャートである。
【００８１】
本実施形態では、集約印刷書類をスキャンすることによって得られたページ画像ＧＰを、書類ファイルＦＬＳを生成するために使用した。そして、この書類ファイルＦＬＳを、集約印刷書類を再度同じ形態で印刷しまたは他の形態で印刷するために使用した。これ以外の方法にも、ページ画像ＧＰを使用することができる。例えば、集約印刷書類の応用コピーのために使用することもできる。
【００８２】
この場合は、画像形成装置１を、次のように動作するように構成すればよい。画像形成装置１は、ユーザが所定の操作を行うと、図１８に示すようなコピー処理画面ＨＧ３を表示する。ここで、ユーザは、スキャン処理画面ＨＧ１（図５参照）の場合と同様に、コピー対象である集約印刷書類のページの配置の形態を、ユーザ自らが指定するか画像形成装置１に自動判別させるかを選択する。前者を所望する場合は「書類ページ形態手動選択」ボタンを押し、後者を希望する場合は「書類ページ形態自動判別」ボタンを押す。
【００８３】
「書類ページ形態手動選択」ボタンが選択された場合は、表示部ＴＤの表示を、コピー処理画面ＨＧ３から図１０に示す書類ページ形態設定画面ＨＧ２と同じ構成の画面に切り換える。ここで、ユーザは、書類ページ形態設定画面ＨＧ２の場合と同様に、コピー対象の集約印刷書類のページの配置の形態に対応するボタンを押して選択する。画像形成装置１は、集約印刷書類の形態の指定を受け付け、表示部ＴＤの表示をコピー処理画面ＨＧ３に戻す。
【００８４】
さらに、ユーザは、コピー部数を指定するとともに、コピー対象の集約印刷書類の各ページをどのような形態に編成し直してコピーしたいのかを指定する。例えば、両面２ｉｎ１の形態を所望する場合は「両面」ボタンおよび「２ｉｎ１」ボタンを押しておく。そして、「ＯＫ」ボタンを押す。
【００８５】
すると、画像形成装置１は、図１６のステップ＃２〜＃１０で説明した処理と同様の処理を実行することによって、コピー対象の集約印刷書類の各ページのページ画像ＧＰを、ページ順に並べられた状態で取得する。
【００８６】
そして、これらのページ画像ＧＰを、コピー処理画面ＨＧ３で指定された形態でコピー用紙に印刷する。
【００８７】
例えば、２枚の用紙からなる左綴じブックレットの集約印刷書類を、両面２ｉｎ１に編成し直してコピーする場合は、図１９に示すような手順で処理を行う。集約印刷書類の各用紙の両面をスキャンし、４つの原稿面画像ＧＤを取得する（＃３１）。各ページのページ画像ＧＰを抽出し、図１２（ａ）の規則に基づいて各ページ画像ＧＰにページ識別番号を与える（＃３２）。ページ識別番号の小さい順にページ画像ＧＰをソートする（＃３３）。そして、先頭から順に、２つずつページ画像ＧＰをピックアップして左右に並べて１組の画像を構成し、各組を、コピー用紙の１枚目の表面、１枚目の裏面、２枚目の表面、２枚目の裏面、…の順に印刷する（＃３４）。
【００８８】
本実施形態では、若いページが描かれた用紙の表面または表紙および裏表紙が描かれた用紙の表面から順に、その裏面、次の用紙の表面、その裏面、…、のようにスキャンする場合を例に説明したが、これとは逆の順番でスキャンする場合にも、本発明を適用することもできる。
【００８９】
ただし、この場合は、図６、図７、図８、図１１、および図１２に示した原稿面画像ＧＤなどの並びが逆になる。また、ページ配置形態判別部１０３における（１）〜（６）の判別方法も、次の（１’）〜（６）のように変更される。
（１’）原稿面が偶数である原稿面画像ＧＤにおいてマージンが図１３（ｃ）のような「田」の字型に表れ、かつ、原稿面番号が奇数である原稿面の原稿面画像ＧＤがほとんど真っ白である場合は、片面４ｉｎ１である、と判別する。
（２’）原稿面画像ＧＤにおいてマージンが図１３（ｃ）のような「田」の字型に表れ、かつ、原稿面番号が奇数である原稿面の原稿面画像ＧＤに何らかのコンテンツが描かれている場合は、両面４ｉｎ１である、と判別する。
（３’）原稿面が偶数である原稿面画像ＧＤにおいてマージンが図１３（ｂ）のような型に表れ、同じ原稿面画像ＧＤの中の左右に隣り合う２つのページのページ番号を示す数字が連番であり、かつ、原稿面番号が奇数である原稿面の原稿面画像ＧＤがほとんど真っ白である場合は、片面２ｉｎ１である、と判別する。
（４’）原稿面画像ＧＤにおいてマージンが図１３（ｂ）のような型に表れ、同じ原稿面画像ＧＤの中の左右に隣り合う２つのページのページ番号を示す数字が連番であり、かつ、原稿面番号が奇数である原稿面の原稿面画像ＧＤに何らかのコンテンツが描かれている場合は、両面２ｉｎ１である、と判別する。
（５’）原稿面画像ＧＤにおいてマージンが図１３（ｂ）のような型に表れ、同じ原稿面画像ＧＤの中の左右に隣り合う２つのページのページ番号を示す数字のうち、原稿面番号が奇数である原稿面画像ＧＤについては左側の数字のほうが右側の数字よりも小さく、かつ偶数である原稿面画像ＧＤについてはその逆である場合は、左綴じブックレットである、と判別する。
（６’）原稿面画像ＧＤにおいてマージンが図１３（ｂ）のような型に表れ、同じ原稿面画像ＧＤの中の左右に隣り合う２つのページのページ番号を示す数字のうち、原稿面番号が奇数である原稿面画像ＧＤについては左側の数字のほうが右側の数字よりも大きく、かつ偶数である原稿面画像ＧＤについてはその逆である場合は、右綴じブックレットである、と判別する。
【００９０】
本実施形態では、集約印刷書類から書類ファイルＦＬＳを生成する処理をすべて画像形成装置１で行ったが、一部の処理を端末装置２が実行するように構成してもよい。例えば、スキャン処理より後の処理すなわち原稿面画像ＧＤを取得してからの処理を、端末装置２が実行するように構成してもよい。
【００９１】
この場合は、画像形成装置１は、原稿面画像ＧＤを、その取得順を表す原稿面番号と対応付けて、端末装置２に送信する。端末装置２には、図４のページ配置形態判別部１０３ないし印刷指示ファイル生成部１０９と同等の機能を実現するためのプログラムをインストールしておく。そして、端末装置２に、画像形成装置１から受信した原稿面画像ＧＤを用いて、図１６のステップ＃２〜＃１３の処理を実行させる。
【００９２】
または、端末装置２に、ＵＳＢまたはＳＣＳＩなどのインタフェースを介してスキャナ装置を端末装置２に接続し、図４のページ配置形態判別部１０３ないし印刷指示ファイル生成部１０９と同等の機能を実現するためのプログラムをインストールすることによって、本発明の書類画像データ入力システムを実現するようにしてもよい。
【００９３】
その他、画像形成装置１の全体または各部の構成、処理内容、処理順序などは、本発明の趣旨に沿って適宜変更することができる。
【産業上の利用可能性】
【００９４】
本発明は、特に、コピー機能およびスキャン機能を有するＭＦＰなどの画像処理装置またはスキャナ装置が接続されたパーソナルコンピュータなどにおいて、スキャンした集約印刷書類の各ページの画像の管理を容易に行うために好適に用いられる。
【図面の簡単な説明】
【００９５】
【図１】画像形成装置が設けられたシステムの全体的な構成の例を示す図である。
【図２】画像形成装置のハードウェア構成の例を示す図である。
【図３】操作パネルの例を示す図である。
【図４】画像形成装置の機能的構成の例を示す図である。
【図５】スキャン処理画面の例を示す図である。
【図６】２ｉｎ１の集約印刷書類のページの配置の形態の例を示す図である。
【図７】４ｉｎ１の集約印刷書類のページの配置の形態の例を示す図である。
【図８】ブックレットの集約印刷書類のページの配置の形態の例を示す図である。
【図９】ブックレットの集約印刷書類の構成の例を示す図である。
【図１０】書類ページ形態設定画面の例を示す図である。
【図１１】２ｉｎ１および４ｉｎ１の集約印刷書類の各原稿面画像の構成の例を示す図である。
【図１２】ブックレットの集約印刷書類の各原稿面画像の構成の例を示す図である。
【図１３】原稿面画像の中のコンテンツ部分およびマージンの配置の例を示す図である。
【図１４】ページ画像を抽出する方法の例を説明するための図である。
【図１５】ページ画像のソートの方法を説明するための図である。
【図１６】集約印刷書類のスキャン処理の際の画像形成装置における全体的な処理の流れの例を説明するフローチャートである。
【図１７】端末装置において書類ファイルを使用する際の処理の流れの例を説明するフローチャートである。
【図１８】コピー処理画面の例を示す図である。
【図１９】集約印刷書類をコピーする際の画像形成装置の処理の流れの例を説明するフローチャートである。
【符号の説明】
【００９６】
１  画像形成装置（書類画像データ入力システム）
１０２  原稿面画像取得制御部（原稿面画像取得手段）
１０５  ページ画像抽出部（ページ画像抽出手段）
１０６  対応ページ判別部（ページ順判別手段）
１０７  ページ画像ソート部（ソート手段）
１０８  書類ファイル生成部（画像ファイル生成手段）
１０ｆ  操作パネル（ページ配置形態選択手段）
１０ｇ  スキャナユニット（原稿面画像取得手段）
ＦＬＳ  書類ファイル（画像ファイル）
ＧＤ  原稿面画像
ＧＰ  ページ画像
【図１】
2007013799.tif 000003
【図２】
2007013799.tif 000004
【図３】
2007013799.tif 000005
【図４】
2007013799.tif 000006
【図５】
2007013799.tif 000007
【図６】
2007013799.tif 000008
【図７】
2007013799.tif 000009
【図８】
2007013799.tif 000010
【図９】
2007013799.tif 000011
【図１０】
2007013799.tif 000012
【図１１】
2007013799.tif 000013
【図１２】
2007013799.tif 000014
【図１３】
2007013799.tif 000015
【図１４】
2007013799.tif 000016
【図１５】
2007013799.tif 000017
【図１６】
2007013799.tif 000018
【図１７】
2007013799.tif 000019
【図１８】
2007013799.tif 000020
【図１９】
2007013799.tif 000021